(57)【要約】【課題】ドアシューの点検を容易に行うことができるエレベータドアシュー摩耗点検装置を得る。【解決手段】エレベータ敷居７の敷居溝７１に挿入されたドアシュー６を点検する際に用いられるエレベータドアシュー摩耗点検装置であって、溝幅の寸法がドアシュー６の限界幅の寸法である凹部１１が形成された点検装置本体１Ａと、凹部１１にドアシュー６が挿入されたことを検出する検出装置２と、検出装置２の検出結果に基づいて、ドアシュー６の交換が必要である旨のアナウンスを行うスピーカ装置５とを備え、点検装置本体１Ａは、凹部１１が敷居溝７１の長手方向を向くように敷居溝７１に挿入可能である。【選択図】図２
2014234245.tif 000002
【特許請求の範囲】
【請求項１】
エレベータ敷居の敷居溝に挿入されたドアシューを点検する際に用いられるエレベータドアシュー摩耗点検装置であって、
溝幅の寸法が前記ドアシューの限界幅の寸法である凹部が形成された点検装置本体を備え、
前記点検装置本体は、前記凹部が前記敷居溝の長手方向を向くように前記敷居溝に挿入可能であることを特徴とするエレベータドアシュー摩耗点検装置。
【請求項２】
前記凹部に前記ドアシューが挿入されたことを検出する検出装置と、
前記検出装置の検出結果に基づいて、前記ドアシューの交換が必要であることを報知する報知装置と
をさらに備えたことを特徴とする請求項１に記載のエレベータドアシュー摩耗点検装置。
【請求項３】
前記点検装置本体には、一対の前記凹部が形成され、
それぞれの前記凹部は、互いに反対方向を向くように配置されていることを特徴とする請求項１または請求項２に記載のエレベータドアシュー摩耗点検装置。
【請求項４】
エレベータ敷居の敷居溝に挿入されたドアシューを点検する際に用いられるエレベータドアシュー摩耗点検装置であって、
前記敷居溝の溝幅の寸法から前記ドアシューの限界幅の寸法を減じた値が厚さ方向の寸法である接触部を有する点検装置本体を備え、
前記点検装置本体は、前記接触部の厚さ方向が前記敷居溝の幅方向となるように前記敷居溝に挿入可能であることを特徴とするエレベータドアシュー摩耗点検装置。
【請求項５】
前記敷居溝の側面と前記ドアシューとの間に前記接触部が挿入されたことを検出する検出装置、
前記検出装置の検出結果に基づいて、前記ドアシューの交換が必要であることを報知する報知装置と
をさらに備えたことを特徴とする請求項４に記載のエレベータドアシュー摩耗点検装置。
【発明の詳細な説明】
【技術分野】
【０００１】
この発明は、エレベータ敷居に挿入されるドアシューを点検する際に用いられるエレベータドアシュー摩耗点検装置に関する。
【背景技術】
【０００２】
従来、敷居溝が形成されたエレベータ敷居と、エレベータドアの下端部に取り付けられ、敷居溝に挿入されるドアシューとを備え、エレベータドアがエレベータ出入口を開閉するときに、ドアシューが敷居溝を移動するエレベータガイド装置が知られている。摩耗によってドアシューの幅方向の寸法が限界幅の寸法になった場合には、保守点検時に作業者によってドアシューが交換される（例えば、特許文献１参照）。
【先行技術文献】
【特許文献】
【０００３】
【特許文献１】特開２００４−１２３３２７号公報
【発明の概要】
【発明が解決しようとする課題】
【０００４】
しかしながら、摩耗によってドアシュー本体の幅方向の寸法が限界幅の寸法になっているか否かの判断は、保守点検時に作業者がノギスを用いてドアシューの幅方向の寸法を測定することによって行われるので、ドアシューの点検の効率が悪いという問題点があった。
【０００５】
この発明は、ドアシューの点検を容易に行うことができるエレベータドアシュー摩耗点検装置を提供するものである。
【課題を解決するための手段】
【０００６】
この発明に係るエレベータドアシュー摩耗点検装置は、エレベータ敷居の敷居溝に挿入されたドアシューを点検する際に用いられるエレベータドアシュー摩耗点検装置であって、溝幅の寸法がドアシューの限界幅の寸法である凹部が形成された点検装置本体を備え、点検装置本体は、凹部が敷居溝の長手方向を向くように敷居溝に挿入可能である。
【０００７】
また、この発明に係るエレベータドアシュー摩耗点検装置は、エレベータ敷居の敷居溝に挿入されたドアシューを点検する際に用いられるエレベータドアシュー摩耗点検装置であって、敷居溝の溝幅の寸法からドアシューの限界幅の寸法を減じた値が厚さ方向の寸法である接触部を有する点検装置本体を備え、点検装置本体は、接触部の厚さ方向が敷居溝の幅方向となるように敷居溝に挿入可能である。
【発明の効果】
【０００８】
この発明に係るエレベータドアシュー摩耗点検装置によれば、エレベータ敷居の敷居溝に挿入されたドアシューを点検する際に用いられるエレベータドアシュー摩耗点検装置であって、溝幅の寸法がドアシューの限界幅の寸法である凹部が形成された点検装置本体を備え、点検装置本体は、凹部が敷居溝の長手方向を向くように敷居溝に挿入可能であるので、点検装置本体を敷居溝に挿入し、ドアシューが凹部に挿入されるか否かに基づいて、ドアシューの交換が必要であるか否かが判定可能となる。その結果、ドアシューの点検を容易に行うことができる。
【０００９】
また、この発明に係るエレベータドアシュー摩耗点検装置によれば、エレベータ敷居の敷居溝に挿入されたドアシューを点検する際に用いられるエレベータドアシュー摩耗点検装置であって、敷居溝の溝幅の寸法からドアシューの限界幅の寸法を減じた値が厚さ方向の寸法である接触部を有する点検装置本体を備え、点検装置本体は、接触部の厚さ方向が敷居溝の幅方向となるように敷居溝に挿入可能であるので、点検装置本体を敷居溝に挿入し、接触部が敷居溝の側壁とドアシューとの間に挿入されるか否かに基づいて、ドアシューの交換が必要であるか否かが判定可能となる。その結果、ドアシューの点検を容易に行うことができる。
【図面の簡単な説明】
【００１０】
【図１】この発明の実施の形態１に係るエレベータドアシュー摩耗点検装置を示す正面図である。
【図２】図１のエレベータドアシュー摩耗点検装置を示す平面図である。
【図３】図１のエレベータドアシュー摩耗点検装置が挿入される敷居溝が形成されたエレベータ敷居および敷居溝に挿入されたドアシューを示す平面図である。
【図４】図３の敷居溝に挿入されたエレベータドアシュー摩耗点検装置およびドアシューを示す正面図である。
【図５】図４のエレベータドアシュー摩耗点検装置を用いてドアシューの点検を行う手順を説明する図である。
【図６】この発明の実施の形態２に係るエレベータドアシュー磨耗点検装置を示す平面図である。
【図７】図６のエレベータドアシュー摩耗点検装置が敷居溝に挿入されたエレベータ敷居および敷居溝に挿入されたドアシューを示す平面図である。
【発明を実施するための形態】
【００１１】
実施の形態１．
図１はこの発明の実施の形態１に係るエレベータドアシュー磨耗点検装置を示す正面図、図２は図１のエレベータドアシュー摩耗点検装置を示す平面図、図３は図２のエレベータドアシュー摩耗点検装置が挿入される敷居溝７１が形成されたエレベータ敷居７および敷居溝７１に挿入されたドアシュー６を示す平面図である。図において、エレベータドアシュー摩耗点検装置は、点検装置本体１Ａと、一対の検出装置２と、点検装置本体１Ａに取り付けられた回動軸３と、回動軸３を中心に回動する把持部４と、把持部４に取り付けられたスピーカ装置（報知装置）５とを備えている。
【００１２】
点検装置本体１Ａには、一対の凹部１１が形成されている。それぞれの凹部１１は、互いに反対方向を向くように配置されている。凹部１１の溝幅の寸法Ａは、ドアシュー６の限界幅の寸法となっている。ドアシュー６の限界幅の寸法とは、ドアシュー６の交換が必要となるドアシュー６の幅の寸法である。具体的には凹部１１の溝幅の寸法Ａは、９ｍｍとなっている。ドアシュー６の幅の寸法Ｂは、１１ｍｍとなっている。ドアシュー６は、ドアシュー６の幅の寸法Ｂが限界幅の寸法以下となった場合に、凹部１１に挿入可能となる。
【００１３】
点検装置本体１Ａの幅方向の寸法Ｃは、エレベータ敷居７の敷居溝７１の溝幅の寸法Ｄよりもわずかに小さくなっている。具体的には、点検装置本体１Ａの幅方向の寸法Ｃは、１２ｍｍとなっている。敷居溝７１の溝幅の寸法Ｄは、１３ｍｍとなっている。したがって、点検装置本体１Ａは、敷居溝７１に挿入可能である。
【００１４】
それぞれの検出装置２は、凹部１１の内周面に配置されている。それぞれの検出装置２は、凹部１１にドアシュー６が挿入された場合にドアシュー６によって押圧され、凹部１１にドアシュー６が挿入されたことを検出する。検出装置２の検出結果は、スピーカ装置５に送信される。
【００１５】
回動軸３は、点検装置本体１Ａが敷居溝７１に挿入された場合に、敷居溝７１の深さ方向に延びるように、点検装置本体１Ａに取り付けられている。
【００１６】
把持部４は、回動軸３から径方向外側に延びるように回動軸３に取り付けられている。把持部４は、ドアシュー６を点検する点検作業者によって把持される。把持部４が回動軸３を中心に回動するので、点検作業者は、把持部４を持った状態で、敷居溝７１に挿入された点検装置本体１Ａを敷居溝７１に沿って容易に移動させることができる。
【００１７】
スピーカ装置５は、検出装置２の検出結果に基づいて、アナウンスを行う。具体的には、凹部１１にドアシュー６が挿入されたことを検出装置２が検出した場合に、ドアシュー６の交換が必要である旨のアナウンスを行う。これにより、点検作業者に対して、ドアシュー６の交換が必要であることを知らせることができる。
【００１８】
次に、エレベータドアシュー摩耗点検装置を用いたドアシュー６の点検手順について説明する。図４は図３の敷居溝７１に挿入されたエレベータドアシュー摩耗点検装置およびドアシュー６を示す正面図、図５は図４のエレベータドアシュー摩耗点検装置を用いてドアシュー６の点検を行う手順を説明する図である。エレベータドア８の下端部に一対のドアシュー６がボルト９を用いて取り付けられている。したがって、敷居溝７１に挿入されたドアシュー６は、敷居溝７１の中で幅方向について移動可能である。一対のドアシュー６は、エレベータドア８の幅方向について互いに離れて配置されている。まず、点検作業者は、凹部１１が敷居溝７１の長手方向を向くように点検装置本体１Ａを敷居溝７１に挿入する。このとき、回動軸３が点検装置本体１Ａに立つようにする。
【００１９】
次に、点検作業者は、把持部４を把持して、点検装置本体１Ａを敷居溝７１の長手方向のうちの一方向に移動させる。一方のドアシュー６の幅方向の寸法Ｂ（図２）が限界幅の寸法以下である場合には、ドアシュー６が凹部１１に挿入される。このとき、検出装置２は、ドアシュー６が凹部１１に挿入されたことを検出し、スピーカ装置５は、ドアシュー６の交換が必要である旨のアナウンスを行う。
【００２０】
その後、点検作業者は、把持部４を把持して、点検装置本体１Ａを敷居溝７１の長手方向のうちの他方向に移動させる。他方のドアシュー６の幅方向の寸法Ｂが限界幅の寸法以下である場合には、ドアシュー６が凹部１１に挿入される。このとき、検出装置２は、ドアシュー６が凹部１１に挿入されたことを検出し、スピーカ装置５は、ドアシュー６の交換が必要である旨のアナウンスを行う。
【００２１】
以上説明したように、この発明の実施の形態１に係るエレベータドアシュー摩耗点検装置によれば、エレベータ敷居７の敷居溝７１に挿入されたドアシュー６を点検する際に用いられるエレベータドアシュー摩耗点検装置であって、溝幅の寸法Ａがドアシュー６の限界幅の寸法である凹部１１が形成された点検装置本体１Ａを備え、点検装置本体１Ａは、凹部１１が敷居溝７１の長手方向を向くように敷居溝７１に挿入可能であるので、点検装置本体１Ａを敷居溝７１に挿入し、ドアシュー６が凹部１１に挿入されるか否かに基づいて、ドアシュー６の交換が必要であるか否かが判定可能となる。その結果、ドアシュー６の点検を容易に行うことができる。
【００２２】
また、エレベータドアシュー摩耗点検装置は、凹部１１にドアシュー６が挿入されたことを検出する検出装置２と、検出装置２の検出結果に基づいて、ドアシュー６の交換が必要である旨をアナウンスするスピーカ装置５とを備えているので、ドアシュー６の幅方向の寸法Ｂが限界幅の寸法以下である場合に、点検作業者に対して、ドアシュー６の交換が必要であることをより確実に知らせることができる。
【００２３】
また、点検装置本体１Ａには、一対の凹部１１が形成され、それぞれの凹部１１は、互いに反対方向を向くように配置されているので、一対のドアシュー６の間に点検装置本体１Ａを配置することによって、両方のドアシュー６を容易に点検することができる。
【００２４】
実施の形態２．
図６はこの発明の実施の形態２に係るエレベータドアシュー摩耗点検装置を示す平面図、図７は図６のエレベータドアシュー摩耗点検装置が敷居溝７１に挿入されたエレベータ敷居７および敷居溝７１に挿入されたドアシュー６を示す平面図である。図において、エレベータドアシュー摩耗点検装置は、点検装置本体１Ｂと、一対の検出装置２と、点検装置本体１Ｂに立てられた回動軸３と、回動軸３を中心に回動する把持部４と、把持部４に設けられたスピーカ装置５とを備えている。
【００２５】
点検装置本体１Ｂは、基部１２と、基部１２に固定され、平板形状に形成された接触部１３とを有している。接触部１３は、一方向に延びて形成されている。接触部１３は、長手方向両端部が基部１２よりも長手方向について突出するように基部１２に固定されている。回動軸３は、基部１２に取り付けられている。接触部１３の厚さ方向の寸法Ｅは、敷居溝７１の溝幅の寸法Ｄ（図２）からドアシュー６の限界幅の寸法を減じた値となっている。したがって、接触部１３は、ドアシュー６の幅の寸法Ｂが限界幅の寸法以下となった場合に、敷居溝７１の側壁とドアシュー６との間に挿入可能となる。
【００２６】
それぞれの検出装置２は、基部１２に取り付けられている。それぞれの検出装置２は、接触部１３が敷居溝７１の側壁とドアシュー６との間に挿入された場合にドアシュー６によって押圧され、接触部１３が敷居溝７１の側壁とドアシュー６との間に挿入されたことを検出する。検出装置２の検出結果は、スピーカ装置５に送信される。その他の構成は、実施の形態１と同様である。
【００２７】
次に、エレベータドアシュー摩耗点検装置を用いたドアシュー６の点検手順について説明する。まず、点検作業者は、接触部１３の厚さ方向が敷居溝７１の幅方向となるように点検装置本体１Ｂを敷居溝７１に挿入する。このとき、回動軸３が点検装置本体１Ｂに立つようにする。
【００２８】
その後、点検作業者は、敷居溝７１に挿入されたドアシュー６が敷居溝７１の一方の側壁に面接触するように、エレベータドア８を厚さ方向に移動させる。その後、点検作業者は、把持部４を把持して、点検装置本体１Ｂを敷居溝７１の長手方向のうちの一方向に移動させる。一方のドアシュー６の幅方向の寸法Ｂ（図２）が限界幅の寸法以下である場合には、接触部１３が敷居溝７１の側壁とドアシュー６との間に挿入される。このとき、検出装置２は、接触部１３が敷居溝７１の側壁とドアシュー６との間に挿入されたことを検出し、スピーカ装置５は、ドアシュー６の交換が必要である旨のアナウンスを行う。
【００２９】
その後、点検作業者は、把持部４を把持して、点検装置本体１Ｂを敷居溝７１の長手方向のうちの他方向に移動させる。他方のドアシュー６の幅方向の寸法Ｂが限界幅の寸法以下である場合には、接触部１３が敷居溝７１の側壁とドアシュー６との間に挿入される。このとき、検出装置２は、接触部１３が敷居溝７１の側壁とドアシュー６との間に挿入されたことを検出し、スピーカ装置５は、ドアシュー６の交換が必要である旨のアナウンスを行う。
【００３０】
以上説明したように、エレベータ敷居７の敷居溝７１に挿入されたドアシュー６を点検する際に用いられるエレベータドアシュー摩耗点検装置であって、敷居溝７１の溝幅の寸法Ｄからドアシュー６の限界幅の寸法を減じた値が厚さ方向の寸法Ｅである接触部１３を有する点検装置本体１Ｂを備え、点検装置本体１Ｂは、接触部１３の厚さ方向が敷居溝７１の幅方向となるように敷居溝７１に挿入可能であるので、点検装置本体１Ｂを敷居溝７１に挿入し、接触部１３が敷居溝７１の側壁とドアシュー６との間に挿入されるか否かに基づいて、ドアシュー６の交換が必要であるか否かが判定可能となる。その結果、ドアシュー６の点検を容易に行うことができる。また、接触部１３の厚さ方向の寸法は、点検装置本体１Ａにおける凹部１１の側壁部分の厚さ方向の寸法よりも大きくすることができるので、点検装置本体１Ｂの強度を向上させることができる。
【００３１】
なお、各上記実施の形態では、報知装置として、スピーカ装置５を例に説明したが、ドアシュー６の交換が必要である旨を表示する表示装置であってもよい。
【符号の説明】
【００３２】
１Ａ、１Ｂ  点検装置本体、２  検出装置、３  回動軸、４  把持部、５  スピーカ装置（報知装置）、６  ドアシュー、７  エレベータ敷居、８  エレベータドア、９  ボルト、１１  凹部、１２  基部、１３  接触部、７１  敷居溝。
【図１】
2014234245.tif 000003
【図２】
2014234245.tif 000004
【図３】
2014234245.tif 000005
【図４】
2014234245.tif 000006
【図５】
2014234245.tif 000007
【図６】
2014234245.tif 000008
【図７】
2014234245.tif 000009